(57)【要約】  基材への物質塗布を制御する装置及び方法は、基材からの物質をブロックする、又は、基材へ主物質を引き付けるゲート剤の使用を含む。その装置及び方法は、インクジェット技術を利用することで、直接基材に、又は、中間表面（媒介物の表面）に、ゲート剤を塗布する。また、主物質は、インキ、染料、インキではないマーキング物質であり得、又は、他のあらゆる種類の物質用のキャリアであり得る。【選択図】  図２
2010536615.tif 000002
【特許請求の範囲】
【請求項１】
表面を有する基材と、
第１ゲート剤を噴射する手段と、
前記基材と関連付けられる第１パターンを有する第１ゲート剤層と、
主物質を塗布する手段と、
前記基材と関連付けられる第２パターンを有する主物質層と、
前記基材から印刷媒体に第２パターンを形成するように前記主物質を転写する手段と、
を含んで構成され、
前記第１ゲート剤層が前記基材表面と前記主物質層との中間にある場合は、前記第１パターンと前記第２パターンは同じであり、前記主物質層が前記基材表面と前記第１ゲート剤層との中間にある場合は、前記第１パターンと前記第２パターンは異なる印刷装置。
【請求項２】
前記主物質層が前記基材表面と前記第１ゲート剤層との中間にある場合、前記第１パターンと前記第２パターンは、補完的である、請求項１に記載の印刷装置。
【請求項３】
前記基材は、印刷ブランケット、印刷プレート、印刷胴、シート、壁の平面、壁の曲面、エッチングされた表面、加工された表面、処理された表面、疎水性表面、又は、親水性表面、の少なくとも１つを含んで構成される請求項１又は２に記載の印刷装置。
【請求項４】
前記噴射する手段は、水溶液ジェットシステム、連続フローインクジェットシステム、サーマルジェットシステム、又は、圧電ジェットシステム、の少なくとも１つを含んで構成される請求項１〜３のいずれか１つに記載の印刷装置。
【請求項５】
前記噴射する手段は、１つ以上のノズルを含む１つ以上のジェットカートリッジを含んで構成される請求項１〜４のいずれか１つに記載の印刷装置。
【請求項６】
前記噴射する手段は、前記１つ以上のジェットカートリッジは前記第１ゲート剤を含んで構成される請求項５に記載の印刷装置。
【請求項７】
前記印刷媒体は、紙、ガラス、ニトロセルロース、織物材料、金属、プラスチック、フィルム、ゲル、プレート、回路基板、シート、又は、布地、の少なくとも１つを含んで構成される請求項１〜６のいずれか１つに記載の印刷装置。
【請求項８】
前記主物質は、キャリア、平版インキ、染料、タンパク質、核酸、小分子、生物由来サンプル、調合薬、セル、生体適合性ポリマー、治療用物質、診断用物質、非インキマーキング物質、導電性材料、絶縁性材料、熱伝導性材料、無線自動識別タグ、親水性部分、親油性部分、酸化シリコン、金属、機能性ポリマー、接着剤、磁性インキ、三次元相互接続構造、光学接着剤、紫外線硬化ポリマー、ポリマー発光ダイオード用材料、水、又は、水溶性有機化合物、の少なくとも１つを含んで構成される請求項１〜７のいずれか１つに記載の印刷装置。
【請求項９】
前記第１パターンが前記第２パターンと同じ場合、前記主物質は、前記噴射された第１ゲート剤層を介して前記基材に付着される、請求項１〜８のいずれか１つに記載の印刷装置。
【請求項１０】
前記第１パターンが前記第２パターンと異なる場合、前記噴射された第１ゲート剤層は、前記主物質を介して前記基材に付着される、請求項１〜９のいずれか１つに記載の印刷装置。
【請求項１１】
前記主物質を転写する手段は、媒介ローラー、ベルト、又は、ブランケット胴、の少なくとも１つを含んで構成される請求項１〜１０のいずれか１つに記載の印刷装置。
【請求項１２】
クリーニングシステム、又は、殺菌システム、の少なくとも１つをさらに含んで構成される請求項１〜１１のいずれか１つに記載の印刷装置。
【請求項１３】
前記クリーニングシステムは、回転ブラシ、ローラー、クリーニング液、ベルト、クリーニングウェブ、熱供給装置、空気供給装置、又は、静電装置、の少なくとも１つを含んで構成される請求項１２に記載の印刷装置。
【請求項１４】
前記第１ゲート剤は、潜在的多官能性を有する化合物、親水性領域を有する化合物、親油性領域を有する化合物、イオン性領域を有する化合物、付着又は結合領域を有する化合物、パラートープを有する化合物、付着性を与える特定の化学部分を有する化合物、反発性を与える特定の化学部分を有する化合物、付着性を与える特定の構造領域を有する化合物、反発性を与える特定の構造領域を有する化合物、ポロキサマー、界面活性剤、溶媒、防腐剤、カール防止剤、しわ入り防止剤、ゲート剤定着剤、保湿剤、消毒剤、殺生物剤、着色剤、芳香、ポリマー、消泡剤、塩類、無機化合物、有機化合物、水、ｐＨ調整剤、ｐＨ維持剤、受容面調整剤、平版インキ調整剤、表面張力調整剤、粘度調整剤、マレイン酸／オレフィンコポリマー、ポリエチレンイミン、ポリオキシエチレン、水溶性有機化合物、又は、チキソトロピック液体、の少なくとも１つを含む、請求項１〜１３のいずれか１つに記載の印刷装置。
【請求項１５】
表面を有する基材上に、第１ゲート剤を、第１パターンを形成するように噴射するステップと、
前記基材に主物質を塗布するステップと、
前記基材から印刷媒体に第２パターンを形成するように前記主物質を転写するステップと、
を含んで構成され、
前記第１パターンが前記第２パターンと同じ場合は、前記噴射された第１ゲート剤層は前記基材表面と前記主物質との中間にあり、そして、前記第１パターンが前記第２パターンと異なる場合は、前記主物質は前記基材表面と前記噴射された第１ゲート剤層との中間にある印刷方法。
【請求項１６】
クリーニングステップ、又は、殺菌ステップ、の少なくとも１つをさらに含んで構成される請求項１５に記載の印刷方法。
【請求項１７】
第２ゲート剤を噴射するステップをさらに含んで構成される請求項１５又は１６に記載の印刷方法。
【請求項１８】
前記基材は、印刷ブランケット、印刷プレート、印刷胴、シート、壁の平面、壁の曲面、エッチングされた表面、加工された表面、処理された表面、疎水性表面、又は、親水性表面、の少なくとも１つを含んで構成される請求項１５〜１７のいずれか１つに記載の印刷方法。
【請求項１９】
前記印刷媒体は、紙、ガラス、ニトロセルロース、織物材料、金属、プラスチック、フィルム、ゲル、プレート、回路基板、シート、又は、布地、の少なくとも１つを含んで構成される請求項１５〜１８のいずれか１つに記載の印刷方法。
【請求項２０】
前記主物質は、キャリア、平版インキ、染料、タンパク質、核酸、小分子、生物由来サンプル、調合薬、セル、生体適合性ポリマー、治療用物質、診断用物質、非インキマーキング物質、導電性材料、絶縁性材料、熱伝導性材料、無線自動識別タグ、親水性部分、親油性部分、酸化シリコン、金属、機能性ポリマー、接着剤、磁性インキ、三次元相互接続構造、光学接着剤、紫外線硬化ポリマー、ポリマー発光ダイオード用材料、水、又は、水溶性有機化合物、の少なくとも１つを含む、請求項１５〜１９のいずれか１つに記載の印刷方法。
【請求項２１】
前記第１パターンが前記第２パターンと同じ場合、前記主物質は、前記噴射された第１ゲート剤層を介して前記基材に付着される、請求項１５〜２０のいずれか１つに記載の印刷方法。
【請求項２２】
前記第１パターンが前記第２パターンと異なる場合、前記噴射された第１ゲート剤層は、前記主物質を介して前記基材に付着される、請求項１５〜２０のいずれか１つに記載の印刷方法。
【請求項２３】
前記主物質を転写する手段は、媒介ローラー、ベルト、又は、ブランケット胴、の少なくとも１つを含んで構成される請求項１５〜２２のいずれか１つに記載の印刷方法。
【請求項２４】
クリーニングステップ、又は、殺菌ステップの少なくとも１つをさらに含んで構成される請求項１５〜２３のいずれか１つに記載の印刷方法。
【請求項２５】
前記第１ゲート剤及び第２ゲート剤は、それぞれ単独で、潜在的多官能性を有する化合物、親水性領域を有する化合物、親油性領域を有する化合物、イオン性領域を有する化合物、付着若しくは結合領域を有する化合物、パラートープを有する化合物、付着性を与える特定の化学部分を有する化合物、反発性を与える特定の化学部分を有する化合物、付着性を与える特定の構造領域を有する化合物、反発性を与える特定の構造領域を有する化合物、ポロキサマー、界面活性剤、溶媒、防腐剤、カール防止剤、しわ入り防止剤、ゲート剤定着剤、保湿剤、消毒剤、殺生物剤、着色剤、芳香、ポリマー、消泡剤、塩類、無機化合物、有機化合物、水、ｐＨ調整剤、ｐＨ維持剤、受容面調整剤、平版インキ調整剤、表面張力調整剤、粘度調整剤、マレイン酸／オレフィンコポリマー、ポリエチレンイミン、ポリオキシエチレン、水溶性有機化合物、又は、チキソトロピック液体、の少なくとも１つを含む、請求項１７に記載の印刷方法。
【発明の詳細な説明】
【技術分野】
【０００１】
本発明は、インクジェット印刷装置及びインクジェット印刷方法に関する。
【背景技術】
【０００２】
平版印刷技術及びグラビア印刷技術は、長年にわたって改善や改良が続けられてきている。平版印刷の基本的原理は、インキ受容領域とインキ反発領域との両方を有する表面から、インキを転写するステップを含む。オフセット印刷では、インキの中間転写が行われる。例えば、オフセット平版印刷機では、版胴からゴムブランケット胴へとインキが転写され、このブランケット胴から表面（例えば、紙ウェブ）にイメージが転写される。グラビア印刷では、インキが入る凹型のくぼみが刻まれた版胴が紙ウェブに接触し、帯電によりインキの紙への転写を促進する。
【０００３】
初期の平版印刷技術では、隆起した部分のみにインキが付着するようにプレート上に形成された、印刷されるイメージのレリーフを利用していた。現在の平版印刷の印刷工程では、材料科学の原理を活用している。例えば、印刷される部分が疎水性を有するように、印刷されるイメージが親水性プレート（版）にエッチングされる。このプレートをインキ塗布の前に水で湿しておくと、油性インキは、湿し水工程）によってのみに付着する。
【発明の概要】
【発明が解決しようとする課題】
【０００４】
従来、これらの印刷技術のいずれもが、同じイメージが何度も繰り返し印刷されるという点において、同様の問題を抱えている。これは、従来の平版印刷で用いられるプレートが、各々、レリーフイメージ又はエッチングされた疎水性イメージ等の、固定の（すなわち、不変の）イメージを有することによるものである。また、グラビア印刷でも、版胴に刻まれた凹型のインキくぼみによる固定イメージが用いられている。平版印刷機に用いられるプレート、又は、グラビア印刷機に用いられる版胴もしくは版胴スリーブを作成するには、かなりの費用がかかる。このため、少ない部数を印刷するジョブ（すなわち、短期的ジョブ）を平版印刷機又はグラビア印刷機で行うのはコスト効率が悪い。また、高コストで低速ではあるがインクジェットヘッドを備えて改良された印刷機を除いて、従来の平版印刷機及びグラビア印刷機は、可変データ（例えば、請求書、財務表、ターゲット広告等）の印刷には用いられていない。通常、短期的ジョブ及び／又は可変性を必要とするジョブは、レーザープリンタ（静電トナー等）及び／又はインクジェットプリンタによって行われることが多い。
【０００５】
従来、書籍や雑誌等の出版物は、多くのポストプレス工程（後処理工程）を含む印刷工程を経て印刷されている。例えば、雑誌では、１つのページ又はページ群が５，０００回印刷される。この後、次のページ又はページ群が５，０００回印刷される。雑誌の全ページが印刷されるまでの間、各ページ又はページ群について上記工程が繰り返される。そして、印刷されたページ又はページ群は後工程に送られて、集版及び裁断が行われ、最終製品になる。このような従来の作業フローは、時間及び作業集約的である。もし平版印刷の画質及び速度で可変イメージ（すなわち、ページごと又はページ群ごとに変わるイメージ）を印刷することができれば、雑誌は連続するページ（又はページ群）順に印刷され、完成した雑誌がそのまま印刷機から出てくるようになるであろう。これは、雑誌印刷の速度を劇的に上げ、雑誌印刷の費用を大幅に削減することになる。
【０００６】
インクジェット印刷技術は、可変機能を有するプリンタを備えている。インクジェット技術には、サーマル方式（すなわち、バブルジェット（登録商標）方式）、圧電方式といったいわゆるドロップオンデマンドシステム(drop on demand system)と、連続フローシステム(continuous flow system)がある。ドロップオンデマンドシステムでは、微小なインキ液滴がページに噴射される（すなわち、吹き付けられる）。サーマルジェットプリンタでは、熱源によりインキを気化させて、バブル（気泡）を発生させる。気泡の膨張により液滴が形成され、この液滴がプリントヘッドから噴射（吐出）される。圧電方式では、インクタンクの後ろ側にあるピエゾクリスタル素子を用いる。交流電位を用いて、クリスタル素子を振動させる。クリスタル素子の往復動作によって１滴分のインキが引き込まれ、このインキが紙に噴射される。連続フローシステムでは、ノズルからインキを連続的に流し、電界によって沈着を制御し、インクヘッドから噴射されたインキを排水ますの方向に方向転換させて印刷を止める。選択的に電界を制御することにより、インキは要求された位置で印刷媒体上に沈着する。
【０００７】
高速カラーインクジェット印刷の品質は、通常、オフセット平版印刷及びグラビア印刷の品質よりも桁違いに低い。更に、最速のインクジェットプリンタであっても、通常は、平版印刷又はグラビア印刷よりも印刷速度がかなり低い。従来のインクジェット印刷では、紙に水性インキを塗布することによる影響も問題になっている。水性インキを用いると、紙に水分が過剰に吸収されて、印刷されたウェブにシワ及び波打ちが生じることがあり、また、不注意で湿気にさらされることにより、ウェブが容易に破損することもある。この現象を抑制するために、インクジェットプリンタでは特殊な紙やコーティングが用いられる。このような紙は、従来の工業用印刷に使われるウェブ紙に比べて、非常に高価であることが多い。
【０００８】
更に、インクジェット技術をカラー印刷に用いた場合には、インキの被覆面積及び水の吸収量が多くなる。これは、カラーイメージを生成するのに４つのカラー処理が用いられるためである。４つのカラー処理は、シアン、マゼンタ、イエロー、及び、ブラック（すなわち、ＣＭＹＫ）のインキの塗布量を調整することにより、ページに色を付けることを含む。このため、ページの部分によっては、所望の色を出すために４色全てのインキの層が重なることがある。また、インクジェットプリンタによって形成されたドットが広がって、ぼやけたイメージになってしまうことがある。更に、インクジェットプリンタで使用されるインキは、従来の平版印刷及びグラビア印刷で使用されているインキと比べて非常に高価である。この経済的要因のみにより、インクジェット技術は、商業印刷用途にはほとんど利用されず、特に、長期間用途には利用されない。
【０００９】
現在のところ、レーザー印刷の高速可変印刷化には限度がある。これは、その生産速度が、まだ、オフセット印刷及びグラビア印刷に比べて非常に低いこと、及び、その資材コスト（例えば、トナー等）が、市販のオフセットインキ又はグラビアインキの価格と比べて非常に高価であること、に起因している。レーザーカラー印刷では、印刷されたページを折り曲げた際にひび割れが発生することが多いため、雑誌及び他の製本出版物に対してレーザーカラー印刷を用いるのも難しい。
【００１０】
印刷技術は、例えば、トランジスタ及び他のデバイスを含む電気部品などの、他の製品の製造に有用であることが知られている。また更に、印又は他のマーキングは、例えばプラスチックフィルム、金属基材などの、紙以外の基材に印刷されている。この印刷技術には、上述した紙基材印刷用の技術を用いることが可能であるが、この場合でも、この技術には同様の欠点がある。他の場合では、平版印刷のように、プレートの印刷前処理を必要とするフレキソ印刷が用いられる。
【課題を解決するための手段】
【００１１】
一態様によると、印刷装置は、表面を有する基材と、第１ゲート剤を噴射する手段と、基材と関連付けられる第１パターンを有する第１ゲート剤層と、主物質を塗布する手段と、基材と関連付けられる第２パターンを有する主物質層と、基材から印刷媒体に第２パターンを形成するように主物質を転写する手段と、を含む。第１ゲート剤層が基材表面と主物質層との中間にある場合は、第１パターンと第２パターンは同じものであり、主物質層が基材表面と第１ゲート剤層との中間にある場合は、第１パターンと第２パターンは異なる。
【００１２】
別の態様によると、印刷方法は、表面を有する基材上に、第１パターンを有する第１ゲート剤層を噴射するステップと、基材に主物質を塗布するステップと、基材から印刷媒体に第２パターンを形成するように主物質を転写するステップと、を含む。第１ゲート剤層が基材表面と主物質層との中間にある場合は、第１パターンと第２パターンは同じものであり、主物質層が基材表面と第１ゲート剤層との中間にある場合は、第１パターンと第２パターンは異なる。
【００１３】
基材への主物質の塗布を制御する装置及びその方法の更なる特徴、これらの本質、及び、様々な効果については、以下の詳細な説明及び添付図面によって明らかとなるであろう。
【図面の簡単な説明】
【００１４】
【図１】従来技術の印刷システムの側面図である。
【図２】基材への主物質の塗布を制御する装置の一実施形態の側面図である。
【図３】基材への主物質の塗布を制御する装置の一実施形態の側面図である。
【図４】ゲート剤を用いて、一つ以上のインクジェットカートリッジから噴射され、文字“Ａ”が印刷されたパターン表面の上面図である。
【図５】図４のゲート剤と関連付けられた平版インキを有するパターン表面の上面図である。
【図６】図５のライン６−６に沿った断面図である。
【図７】基材への物質の塗布を制御する装置の一実施形態の側面図である。
【図８】図７に示す装置に従って実現可能な出力の例を示す図である。
【発明を実施するための形態】
【００１５】
本開示の一態様は、基材（substrate）に一時的に塗布されたゲート剤（gating agent）を利用した高速可変印刷方法を提供することである。この方法は、基材を供給することと、基材上への噴射が可能なゲート剤組成物を基材に塗布して基材上にイメージを形成することを含む。ゲート剤組成物には、約１５と３０の間の親水性−親油性バランスを有する非イオン性組成物が０．０５〜３重量％含まれる。ゲート剤組成物は、その粘度が約１〜約１４センチポアズ（ｍＰａ・ｓ）の範囲内となるように、最大約８重量％の粘度調整剤を含むこともできる。ゲート剤組成物の残りは水を含んで構成される。ゲート剤組成物は識別可能な量の染料、顔料、又はその他の着色剤を含まず、そしてゲート剤は約４０dynes/cm（０．０４Ｎ／ｍ）未満の表面張力を有する。
【００１６】
もう一つの態様においては、基材への物質の塗布を制御する装置は、基材からの物質をブロックする（阻止する）ゲート剤の使用を含む。その装置は、カートリッジとそのカートリッジ内に収められるゲート剤を含む。ゲート剤組成物は、非イオン性界面活性剤、粘度制御剤、及び水を含む。
【００１７】
本明細書に開示された装置及び方法は、噴射技術を利用することで、直接基材に、又は、中間面（intermediate surface（媒介物の表面））に、ゲート剤を塗布する。要望通りにインキの塗布をブロックするあらゆる薬剤が利用可能である。本明細書に開示された実施形態は、ブロック及び転写補助組成物のいずれか一方（もしくは、両方）、又は、両方の特性を有する１つ以上の組成物を用いることを包含するので、ゲート剤は主物質（principal substance）に対する上記機能のいずれか一方又は両方を有するものとして、以下参照される。具体的に言うと、ゲート剤は、主物質の全部、ほぼ全部、又は一部の転写をブロックする。ゲート剤は、代わりに、又は、追加的に、主物質の全部、ほぼ全部、又は一部の転写を補助することが可能であり、又は、主物質の一部分をブロックし、かつ、他部分の転写を補助することが可能である。
【００１８】
次に、図を見ると、図１は、従来型のオフセット平版印刷機１００を示している。従来の平版印刷工程においては、印刷されるイメージが親水性プレート１０２にエッチングされてインキが付着する疎水性部分が形成される。親水性プレート１０２は、版胴１０４に取り付けられ、回転して湿しシステム１０６及びインキシステム１０８を通過する。湿しシステム１０６は水供給装置１０７を含み、また、インキシステム１０８はインキ供給装置１０９を含む。親水性プレート１０２の親水性部分は、湿しシステム１０６によって湿らされる。油性のインキを用いることにより、インキは、プレート１０２の疎水性部分のみに付着する。
【００１９】
ブランケット胴１１０が用いられる場合は、インキイメージが版胴１０４からブランケット胴１１０へと転写される。そして、このインキイメージが、ブランケット胴１１０と圧胴１１４との間のウェブ１１２（例えば、紙）に転写される。圧胴１１４を用いたウェブ１１２へのイメージ転写は、印刷されるイメージとウェブ１１２とを実質的に均等な圧力又は力で押圧することにより行われる。版胴１０４とウェブ１１２との間の媒介物としてゴムブランケットが用いられる場合には、この工程は一般に「オフセット印刷」と呼ばれる。プレート１０２は、エッチングが行われて版胴１０４に取り付けられているので、平版印刷は同一のイメージを何度も印刷する際に用いられる。平版印刷は、高品質の出力が得られるという点で、望ましい。４台の印刷機を連続して配置することにより、雑誌品質の４色のイメージ印刷が可能になる。
【００２０】
図２は、平版印刷業界で周知のような、インキシステム２０２、プレート２０４、湿しシステム２０６、版胴２０８、ブランケット胴２１０、及び圧胴２１２を有する印刷機２００を示している。プレート２０４は、その全体が親水性である（例えば、標準陽極酸化アルミニウムの酸化平版プレート）。但し、図１の湿しシステム１０６は、図２では、水溶液ジェットシステム２１４及びクリーニングシステム２１６に置き換えられている。
【００２１】
水溶液ジェットシステム２１４は、湿しシステム２０６の前方に置かれ、一連のインクジェット型カートリッジ（例えば、バブルジェット（登録商標）カートリッジ、サーマルカートリッジ、圧電カートリッジ、連続フローカートリッジ等）を有する。カートリッジには、多数の孔があけられている。一般的な例としては、インクジェット型カートリッジは１インチ当り６００ピクセルを有しており、多くの場合、１インチ当り３００ピクセルずつ２列に配置されている。
【００２２】
水溶液ジェットシステム２１４は、水溶液（例えば、水、エチレングリコール、プロピレングリコール、又はこれらの組み合わせ）を噴射するために用いられる。本開示のある実施形態では、水溶液は１つ以上の界面活性剤（例えば、Air Products社製のSurfynol（登録商標））を含有する。この種の界面活性剤は、各分子の一端に親水基を有する一方、その他端に親油基を有する。１つ以上の界面活性剤を水溶液に添加することにより、水溶液の表面張力特性を改善することができ、また、例えば、平版インキなどの親油性溶液を引き付けるのに役立つ。
【００２３】
インクジェットを用いて一枚の紙にインキ液滴を配置するのとほぼ同様に、水溶液ジェットシステム２１４の水溶液ジェットを用いて、親水性プレートに水溶液を配置することが可能である。ある実施形態においては、水溶液は従来型のインクジェット型ノズル（すなわち、ヘッド）を通じて噴出される。このようなインクジェット型ノズルには、例えば、HP、Lexmark、Spectra、Canon等の各社製の、既知のプリントカートリッジユニットのインクジェットノズルが含まれる。ある実施形態においては、水溶液ジェットシステム２１４は、様々な印刷速度及び出力解像度をサポートする。ジェットカートリッジやジェットヘッドの一例が、Murakami et al.U.S.Patent No.7,240,998に開示されている。連続システムには、Versamarkという商品名でコダック(Kodak)から市販されているシステムが含まれる。
【００２４】
水溶液ジェットシステム２１４は、印刷されるイメージの全部又はその一部を、版胴２０８上に「プリント」又は噴射するために用いられる。例えば、イメージコントローラがデータシステムからイメージデータを受信することができる。このイメージデータは、印刷されるイメージ又は印刷されるネガイメージを表現する。このイメージデータには、比較的頻繁に変更される（例えば、ページごとに異なる）可変イメージデータ、変更頻度の少ない（例えば、１００ページごとに異なる）準固定イメージデータ、不変の固定イメージデータ、及び、可変・準固定・固定の各イメージデータの組み合わせが含まれる。イメージデータの一部又は全部は、バイナリデータ、ビットマップデータ、ページ記述コード、又は、これらの組み合わせとして保存される。例えば、ある実施形態においては、ポストスクリプト（PostScript）やプリンタコマンド言語（PCL）などのページ記述言語（PDL）が、イメージデータを定義及び解釈するために用いられる。そして、データシステムは、水溶液ジェットシステム２１４を電子制御して、様々なタイプのイメージデータの一部又は全部が表現するイメージ（又はそのネガイメージ）を水溶液で版胴２０８にプリントする。
【００２５】
本開示のある実施形態では、真空源又は熱源２１５が水溶液ジェットシステム２１４の隣に又はその近くに配置される。ある実施形態では、真空源又は熱源２１５は水溶液ジェットシステム２１４に組み込まれている。真空源又は熱源２１５は、プレート２０４又は版胴２０８にプリントされた後、水溶液に風を当てるか、乾燥させるか、あるいは、加熱することによって、水溶液ジェットシステム２１４により配置された各水溶液滴のサイズを小さくするために用いられる。代わりに、あらゆる処理条件（湿度等の周囲条件を含む）を操作して、水溶液滴の形成に影響を与えることも可能である。水溶液滴のサイズを制御する機能により、印刷イメージの品質を高めることができる。版胴２０８上のポジイメージは、湿しシステム２０６によって流し込まれる湿し水（fountain solution）に表されて、版胴２０８は、一般的な平版プレートと同様に濡らされる。インキシステム２０２からのインキは、ジェットシステム２１４によって供給されるイメージ領域に付着する。
【００２６】
版胴２０８が１回転し、イメージをブランケット胴２１０に転写した後、版胴はクリーニングシステム２１６を通過して残留したインキ及び／又は水溶液が除去され、これにより、版胴２０８は次の回転で（又は所定回転後に）水溶液ジェットシステム２１４による新たなイメージプリントを行うことができる。クリーニングシステム２１６は、回転ブラシ、クリーニング液を含んだローラー、ベルト、クリーニング液で処理されたクリーニングウェブ、熱及び／又は空気を供給する装置、静電装置、又は、残留したインキ及び／又は水溶液を版胴２０８より除去するのに適切なその他の手段を含んで構成される。ある実施形態においては、ブランケット胴２１０についてもクリーニングシステム２１６と同様のクリーニングシステムが設けられており、イメージをウェブ２１８に転写した後、ブランケット胴２１０から残留物が除去される。また、ある実施形態では平版印刷で使われる湿し水に多少溶ける得る液体を含んでいるため、この溶解性は版胴２０８から可変イメージをクリーニングするのに役立つ。
【００２７】
ある実施形態においては、版胴２０８は、従来の平版印刷技術によりプレート２０４にエッチングされた、特定の印刷ジョブに対する固定データの全てを有している。そして、水溶液ジェットシステム２１４を用いて、プレート２０４の特定部分に、可変又は準固定イメージデータによって表現されるジョブの可変部分のみを、イメージ化することができる。
【００２８】
他の実施形態では、プレート２０４が用いられない。その代わりとして、当該技術分野で知られているように、版胴２０８の表面に物理的もしくは化学的処理、又は、ミーリング加工を行って、水溶液ジェットシステム２１４からの水溶液が付着するようにしている。また、版胴２０８に物理的もしくは化学的処理、又は、ミーリング加工を行って、固定データを含むと共に、水溶液を付着させて可変データを取り込めるようにしている。本開示のこれらの及び他の実施形態では、必要に応じて、ブランケット胴２１０を完全に除去し、イメージをウェブ２１８に直接転写するようにしてもよい。
【００２９】
ある実施形態では、プレート２０４、版胴２０８、及び、ブランケット胴２１０のうちの１つ以上を、水溶液ジェットシステム２１４又は水溶液が有する様々な特性に応じてカスタマイズ又はデザインしてもよい。例えば、当該技術分野で知られているように、上記プレート及び胴のうちの１つ以上に特別な処理又はミーリング加工を行うことにより、特定の解像度やドットサイズのプリントヘッドから噴射された溶液のみが付着するようにすることも可能である。また、プレート及び胴に特別な処理を行い、特定のタイプの水溶液のみを付着させ、他のタイプの水溶液をはじくようにすることも可能である。例えば、特定の体積、比重、粘度、又は、その他の所望の特性を有する溶液のみをプレート及び胴に付着させ、所望の条件外の溶液をはじくようにすることが可能である。これにより、例えば、異物の混入を防ぐことができると共に、ある水溶液をプリント工程で用い、他の水溶液（異なる物理的特性を有するもの）をクリーニング工程で用いることができる。他の実施形態では、通常型の、一般用途用のプレート及び胴を用いる。
【００３０】
一実施形態において、水溶液ジェットシステムは、パターン基材上に、水溶液、ゲート剤、又は潜在的多官能性（多官能性ポテンシャル）を有する機能剤(functional agent)、をプリント又は噴射する。一実施形態において、例えば、ゲート剤は、潜在的二官能性（二官能性ポテンシャル)を有するが、本明細書において、官能性の数はいくつであってもよい。例えば、ゲート剤は、潜在的多官能性（多官能性ポテンシャル)をそれぞれ有する一つ以上の化合物か、潜在的単官能性（単官能性ポテンシャル)をそれぞれ有する複数の化合物を含む。潜在的官能性（官能性ポテンシャル)又は官能性には、例えば、親水性領域、親油性領域、イオン性領域及びその他当該技術分野で周知の、化合物に対して付着性又は反発性を与える、化合物の特定の化学的部分及び／又は構造領域に起因する官能的な化合物部分が含まれる。本実施形態においては、第１の官能性はパターン基材に対する付着力を与え、第２の官能性は塗布される一つ以上の主物質への付着性を与える。
【００３１】
別の実施形態においては、ゲート剤は、２つ以上の多官能性化合物を含んでもよく、この場合、各種多官能性化合物は、他の多官能性化合物と共通する少なくとも一つの官能性、及び、他の多官能性化合物と異なる少なくとも一つの官能性を有する。この例では、第１の多官能性化合物及び第２の多官能性化合物は、それぞれ同様のパターン基材上へプリントされるが、第１の多官能性化合物と第２の多官能性化合物の第２の官能性は、主物質が第１又は第２の多官能性化合物のいずれに付着可能であるかに関して異なる特性を有し、これは主物質が１種類の官能性のみと反応するからと考えられる。別の実施形態においては、潜在的単官能性（単官能性ポテンシャル)を有する化合物は、単一の多官能性化合物の場合と同様に、相互に作用して、多官能性を有する錯体(complexes)を形成する。本実施形態において、単官能性化合物は、一度に基材上に沈着される単一の組成物に含められてもよく、もしくは同時に沈着される分離した組成物に含められてもよく、あるいは基材上に連続して沈着される分離したゲート剤に含まれてもよい。
【００３２】
本明細書において意図される多官能性化合物の一つの例としては、親水性である第１の官能基及び親油性である第２の官能基を有する化合物が含まれる。ゲート剤は、親水性表面あるいは親油性表面を有する基材上に噴射され、所望のパターンを表すのに用いられている。これにより、表面とゲート剤との間で同種の官能基が結び付いて、表面にゲート剤が付着されると共に、ゲート剤の反対の官能基が表面にはじかれて、表面に付着したゲート剤のパターンが形成される。
【００３３】
同種の官能性（例えば、親水性又は親油性）を有するか、あるいは、表面には引き付けられずに、ゲート剤の第２の官能性に選択的に引き付けられ、そして、基材（至るところ、例えば、湿し水又は液体によってコーティングしている）の露出表面にはじかれるか、あるいは、基材の露出表面に付着不可能である、第２の組成物（例えば、主物質）は、噴射、浸漬、噴霧、ブラッシング、ローリング、又は、当業者に既知のあらゆる他の方法を用いて表面に塗布することができる。主物質の添加により、ゲート剤のパターンに対応する主物質のパターンが形成され、この結果、主物質のみが、ゲート剤の第２の官能性によって表面に付着される。更に、主物質の塗布後、１つ以上の追加的なステップ（例えば、クリーニングステップ）が実行され、これにより、主物質が、基材の他の領域ではなく、ゲート剤の第２の官能基のみに部位特異的に確実に付着する。この後、主物質は、第２の基材（例えば、イメージを印刷媒体に転写する中間（媒介）ローラー（例えば、ブランケット胴））、又は、印刷媒体に直接転写され、これにより、高精度かつクリーンな所望のプリントイメージを形成することができる。このようにして、主物質が後に付着するゲート剤を用いて、選択されたパターンが基材上に噴射され、この後、転写され、そして、印刷媒体上で永続的又は一時的に固定される。
【００３４】
本明細書において意図される多官能性化合物の例としては、例えば、ポロキサマー又はエトキシ化アセチレンジオールなどの、少なくとも親水性の一部分及び親油性の一部分を有するポリマーが挙げられる。使用に適するポロキサマーは、化学式ＨＯ（ＣＨ２ＣＨ２Ｏ）ｘ（ＣＨ２ＣＨＣＨ３Ｏ）ｙ（ＣＨ２ＣＨ２Ｏ）ｚＨにより表すことができ、この場合に、ｘ，ｙ及びｚは２〜１３０の範囲の整数を表し、特に、１５〜１００の値を取る。また、ｘとｚとは同一の値を取るが、これらはｙから独立して選択される。これらの中では、ポロキサマー188（ｘ＝７５，ｙ＝３０及びｚ＝７５）が使用可能であり、これは、BASF社からLutrol（登録商標）F 68（あるいはPluronic（登録商標）F 68）という商品名で入手可能である。また、ポロキサマー185（ｘ＝１９，ｙ＝３０及びｚ＝１９）が使用可能であり、これは、ISP社からLubrajel（登録商標）WAという商品名で入手可能である。また、ポロキサマー235（ｘ＝２７，ｙ＝３９及びｚ＝２７）が使用可能であり、これは、BASF社からPluronic（登録商標）F 85という商品名で入手可能である。また、ポロキサマー238（ｘ＝９７，＝３９及びｚ＝９７）が使用可能であり、これは、BASF社からPluronic（登録商標）F 88という商品名で入手可能である。このタイプにおける別の特定の界面活性剤は、BASF社製のPluronic（登録商標）123として知られる、ポリ（エチレンオキシド）−ポリ（プロピレンオキシド）−ポリ（エチレンオキシド）ブロックコポリマーである。他の考えられる化合物は、ポリエチレンイミンエトキシレート等のエトキシレートを含む。加えて、BASF社製のPluronic（登録商標）127（ポロキサマー407）という商品名で知られているトリブロックコポリマー（ｘ＝１０６，ｙ＝７０及びｚ＝１０６）が使用可能である。更に、例を少し挙げると、ポロキサマー101、108、124、181、182、184、217、231、234、237、282、288、331、333、334、335、338、401、402、及び403が、それぞれ、ゲート剤に含まれ得る。使用に適するエトキシ化アセチレンジオールは、３，５−ジメチル−１−ヘキシン−３−オール（Air Product社製のSurfynol（登録商標）61）、及び／又は、２，４，７，９−テトラ−メチル−５−デシン−４，７−ジオール（Air Product社製のSurfynol（登録商標）104）を特に含み、そしてAir ProductのSurfynol(登録商標)400シリーズ界面活性剤（Surfynol(登録商標)420,440,465,そして485）を含む。Surfynol(登録商標)400シリーズ界面活性剤は、様々な量の2,4,7,9-テトラ-メチル-5-ディシン-4,7-ジオール(Air ProductのSurfynol(登録商標)104)を有するエチレンオキシド、２つの対称疎水基の中間に親水性部分を有する非イオン性分子を反応さることによって製造される。さらに、好適な界面活性剤は、OSi Specialties,Inc(Danbury,Conn.,以前は、Union Carbide Organo Silicon Products,Systems and Services)から入手できるシロキサンブロックポリマー、SILWET(商標)7200を含む。他の好適なゲート剤成分は、マレイン酸／オレフィンコポリマー、BASFのSokalan(登録商標)である。他の界面活性剤は、約1200の分子量を有するポリエチレンイミン(PEI)、分子量約50,000を有するエトキシ化PEI、臭化ヘキサデシルトリメチルアンモニウム(CTAB)、ポリオキシアルキレンエーテル、ポリ(オキシエチレン)セチル・エーテル(例えば、Atlas ChemicalsからのBrij(登録商標)56又はBrij(登録商標)58)、を含み得る。他の考えられる化合物は、各分子の一端に親水基を、各分子の他端に親油基を含み得る。
【００３５】
多官能性化合物の意図されるさらなる例には、一端で微粒子を受容するように官能化されかつ反対端が例えばパターン表面などの基材に付着する、自己組織化単分子膜の形成に関する物質（例えば、アルキルシロキサン、酸化物材料上の脂肪酸、アルカンチオレート、アルキルカルボン酸塩等）が含まれる。本開示では、好適な官能性を提供するものとして当業者に既知の他の同様の多官能性化合物が意図される。更に、本開示にて意図されるゲート剤は、１つ以上の多官能性化合物に加えて、例えば、水、水溶性有機化合物、又はこれらの組み合わせを含み得る。
【００３６】
好適な水溶性有機化合物は、アルコール（例えば、メチルアルコール、エチルアルコール、ｎ−プロピルアルコール、イソプロピルアルコール、ｎ−ブチルアルコール、ｓｅｃ−ブチルアルコール、又はｔｅｒｔ−ブチルアルコール）、アミド（例えば、ジメチルホルムアミド又はジメチルアセトアミド）、カルボン酸、エステル（例えば、酢酸エチル、乳酸エチル、及びエチレンカーボネート）、エーテル（例えば、テトラヒドロフラン、又はジオキサン）、グリセリン、グリコール、グリコールエステル、グリコールエーテル、ケトン（例えば、アセトン、ジアセトンアルコール、又はメチルエチルケトン）、ラクタム（例えば、Ｎ−イソプロピルカプロラクタム、又はＮ−エチルバレロラクタム）、ラクトン（例えば、ブチロラクトン）、有機硫化物（有機スルフィド）、スルホン（例えば、ジメチルスルホン）、有機スルホキシド（例えば、ジメチルスルホキシド、又はテトラメチレンスルホキシド）、及び、これらの派生物、並びに、これらの混合物を含む。
【００３７】
さらに、ゲート剤の意図される成分は、溶媒、防腐剤、ゲート剤定着材、粘度調整剤、保湿剤（例えば、プロピレン・グリコール）、殺生物剤（バイオサイド）、着色剤、芳香、界面活性剤、ポリマー、発泡剤、消泡剤、塩類、無機化合物、有機化合物、水、pH調整剤、及びこれらあらゆる組合せを含む。本明細書で意図される主物質のいくつかの例としては、平版インキ、染料、着色料等が挙げられる。
【００３８】
粘度調整剤（viscosity modifying agents）について数例を挙げると、これには、プロピレングリコール、セルロース系材料（例えば、CMC）、キサンタンゴム、又は、BASF社製のJoncryl(登録商標)60、Joncryl(登録商標)52、Joncryl(登録商標)61、Joncryl（登録商標）678、Joncryl(登録商標)682が含まれる。ゲート剤には、加圧又は撹拌によって粘度が変わるチキソトロピー液も含まれる。ゲート剤の表面張力を高めることによっても、拡散を抑制することができる。表面張力調整剤（surface tension modifiers）には、特に、ポロキサマー（poloxamer）（例えば、BASF社製のPluronic（登録商標））、又は、Air Product社製のSurfynols（登録商標）が含まれる。加えて、ゲート剤組成物は、他の薬剤（例えば、カール防止剤、シワ入り防止剤、ブロック剤用定着剤、平版インキ調整剤（litho ink modifiers）、受容面調整剤（receiving surface modifier）、消毒剤、殺生物剤（バイオサイド）、ｐＨ調整剤、及びｐＨ保持剤）を含有することが可能である。
【００３９】
考察される印刷媒体は、主物質が付着可能な任意の物質を含み、紙、ガラス、ニトロセルロース、布地、織物材料、金属、プラスチック、フィルム、ゲル、及びこれらの組合せを含む。
【００４０】
本明細書に開示される実施形態においては、ゲート剤は、例えば、ポロキサマー、エトキシ化アセチレンジオール又は他のエトキシ化界面活性剤等、一つ以上の非イオン性界面活性剤を０．０５〜３重量％含み得る。このような界面活性剤は、親水基と親油基の両方を含み、約１５と３０の間の親水性−親油性バランスを有する。望ましくは、非イオン性界面活性剤は、１０〜８０％のポリオキシエチレンを含み得る。ゲート剤組成物の残りは、水を含み得る。
【００４１】
ゲート剤組成物は、１から１４センチポアズ(cP)の範囲内の粘度を実現するために粘度調整剤を含み得る。さらに望ましくは、粘度は、２〜８cP、最も望ましくは３〜５cPに設定される。ある実施形態においては、ゲート剤組成物は、拡散を抑制する表面張力調整剤をさらに含み得る。望ましくは、表面張力は、４０dynes/cm（０．０４Ｎ／ｍ）未満に設定され、さらに望ましくは、３５dynes/cm（０．０３５Ｎ／ｍ）未満の表面張力が実現され得る。表面張力調整剤は、とりわけ、ポロキサマー（例えば、BASFのPluronic(登録商標)）又はAir ProductのSurfynols(登録商標)、(登録商標)（例えば、Surfynol(登録商標)400シリーズ界面活性剤）、を含み得る。
【００４２】
一実施形態においては、ゲート剤は、約１％から約５０％まで、又は約２％から約４０％まで、又は約４％から約２５％まで、又は約５％から約２０％まで、又は約２０％のポリエチレンイミンエトキシレート、約５０％から約９９％まで、又は約６０％から約９８％まで、又は約７５％から９６％まで、約８０％から約９５％まで、又は約８０％の水、及び選択的にポリエチレングリコール400、選択的にポリビニルピロリドン、及び／又は選択的にプロピレングリコール含み得る。さらに、ゲート剤は、噴霧又は噴射によって塗布され得る液体システムの場合、約１から約１４センチポワズまで、又は約２から約８センチポワズまで、又は約２．５から約４センチポワズまでの範囲内の粘度を有し得る。他の様々な塗布技術に対しては、粘度はより高く、最大１０００センチポワズまでにもなり得る。
【００４３】
以上によって明らかなように、様々な特性を有するブロックコポリマー界面活性剤を様々な物性のイメージング胴に用いることにより、イメージング胴に親油性表面と親水性表面とを選択的に形成することが可能となる。界面活性剤とイメージング胴の表面との間に生じる物理的結合によってイメージング胴を同じイメージで何度も繰り返し使用することができ、又はイメージング胴の任意の回転回数ごとにイメージを選択的に変えることもできる。イメージング胴及びブロックコポリマー界面活性剤の物性を利用することにより、耐久性があり、しかも可変で、既知の平版印刷技術の品質を有するイメージシステムを実現することができる。さらに、主物質（例えばインキ等）を理論的に結合させるという要望なしに、主物質が塗布される本明細書において意図されるゲート剤を用いることによって、主物質の剥がれは、従来の印刷システムと比較して著しく最小化され得ると考えられている。
【００４４】
他の実施形態において、ゲート剤配合には、平版インキ調整剤が含まれる。平版インキ調整剤は、下層の遮られたインキ又は他の主物質の一つの又は複数の特性を変える。平版インキ調整剤は、特に、炭酸マグネシウム、炭酸カルシウム、鉱油、液体アスファルト、燃焼プレートオイル、フラッシュオイル、コバルト、大豆油、及び塊ロジンを含み得る。
【００４５】
さらに他の実施形態において、ゲート剤組成物は、受容面調整剤を含む。付着面（例えば紙）調整剤は、遮られたインキ又は他の主物質の付着面への転写を補助する。受容面調整剤は、数例を挙げて言うと、例えば金属粉、及びコルク粉等の散布剤を含み得る。面調整化合物の他の例としては、ポリエチレンイミンとエトキシ化ポリエチレンイミン（１０〜８０％のエトキシル化）が挙げられる。
【００４６】
上述したように、ゲート剤は、１つ以上のジェットヘッドを用いて、版胴に塗布されるか、又は、ブランケット胴に直接塗布される。そして、インキが選択的でない方法で版胴又はブランケット胴に塗布される。この後、インキは、版胴又はブランケット胴上のイメージ領域から紙ウェブに転写される。ゲート剤及びインキがブランケット胴に直接塗布される場合には、版胴を用いる必要はない。固定印刷ジョブ（特に短期間のものであるが、これに限らない）、又は、あらゆるサイズの可変もしくはカスタマイズ可能な印刷ジョブ（例えば、ターゲットメーリング、顧客への取引明細書、壁紙、カスタマイズされた包装紙等）を含む特定の印刷用途にとって有益となり得る。
【００４７】
ゲート剤は、例えば、インクジェット、又は、他の精密制御可能なスプレー技術又は塗布技術を用いて、基材への選択的な直接噴射、中間面（媒介物の表面）への選択的な噴射、又は、主物質への選択的な直接噴射によって、含水液体の状態で塗布される。含水液体は、通常、低粘度であり、また、障害物の形成を抑制する傾向を有するので、インクジェットヘッドでの使用には有利である。但し、ゲート剤は、含水液体以外の形態で、インクジェット技術を用いて塗布されてもよい。UV硬化システムと非水性シロキサンシステムなどがその例である。更に、ゲート剤は、液体に限られているわけではなく、固体（例えば、薄膜、ペースト、ゲル、発泡体、又は、母材（matrix）等）の状態で使用されてもよい。ゲート剤は、粉末固体を含んで構成可能であり、この粉末固体は、主物質の塗布を抑制もしくは補助するように帯電され、又は、反対の極性の静電気電荷によって適切な位置に保持される。
【００４８】
一例では、溶媒である液体のゲート剤を、１つ以上のインクジェットヘッドによってプレートに塗布し、この後、溶媒中で分散可能な粉末インキ着色剤を、プレートの表面全体にわたって沈着させることにより、噴射領域にてその場で液体インキが形成される。非噴射領域の粉末は、（例えば、プレートを反転させて、粉末を真下に落とすことによって、又は、空気圧力や遠心力等によって）除去され、これにより、インキ領域と非インキ領域とが得られる。この場合には、溶媒をイメージ領域に噴射することにより、この領域に液体インキが形成され、また、静電気電荷を除去することにより、非湿潤領域（非ウェット領域）の粉末が除去される。どちらの場合でも、生成されたイメージは、その後に、基材（例えば、紙ウェブ）に塗布される。
【００４９】
本開示のいずれのシステムについても、異なるサイズのゲート剤液滴を形成できるように、変更することが可能である。例えば、１２００ドット／インチ（ｄｐｉ）までの解像度で、約１４ピコリットル（ｐｌ）の液滴サイズを得るためには、HP社製のインクジェット型ヘッドを用いることができる。一方で、Xaar社製のインクジェットヘッドは、３６０ｄｐｉで３ｐｌの噴射が可能であるが、この他に、６ｐｌ、９ｐｌ、及び１２ｐｌの液滴の噴射も可能である。形成されるイメージ領域の解像度については、ゲート剤の塗布に用いられるインクジェットヘッドを適切に選択することによって管理することができる。本明細書に記載されたシステムは、異なるサイズのゲート剤液滴を形成できるように、変更することが可能である。一般に、適合液滴サイズと共に、より高い解像度グリッド（換言すれば、300dpi又はそれ以上のグリッド）は、例えばインキ等の主物質の、ブロック、又は、転写及び／又は収集、との相互作用を改善する。また、グリッドのdpiが増加するにつれて、最も効果的な液滴サイズは一般的に小さくなる。より大きなサイズの液滴は、イメージ領域における強制湿潤化（強制ウェッティング）の影響をより受けやすい。この強制ウェッティングは、イメージが表面間（例えば、プレートとブランケットとの間の押圧（ニップ）領域）で転写されるときに、隣接した噴射液滴が結合することに起因するものであり、プリント濃度の低下によるイメージ品質の低下をもたらすものである。この強制ウェッティングについては、１つ以上の成分の追加もしくは除去、及び／又は、ゲート剤における１つ以上の物理的特性の変更もしくは調整によって最小化することが可能である。例えば、界面活性剤を若干減らすことによって、ゴーストの発生（ghosting）を抑制することができる一方、他の界面活性剤を使用、追加、及び／又は、代用することによっても、イメージ品質を改善することができる。あるいは、胴に塗布されるゲート剤の電荷と反対の極性を有する静電気電荷を胴に印加することも可能である。これにより得られる静電気引力によって、強制ウェッティングが抑制されるか、又は、解消される。
【００５０】
さらなるオプションは、一つ以上のプロセスパラメータの温度を調節／管理することである。例えば、ゲート剤の付着力を改善し調剤を容易にするために、ゲート剤を表面へ塗布する時の温度を上昇させることもあり得る。あるいは、又はそれに加えて、ゲート剤の塗布の間、表面を初めに加熱して、付着、液滴形状／サイズ等を管理し、及び／又は、ゲート剤が塗布されたなら、そのプロセスのいくつかのポイントで、表面を冷却（又は加熱）して、ゲート剤の粘度を高め、これによって、ゲート剤の非湿潤領域への拡がりを低減してもよい。
【００５１】
本実施形態の実施に用いられ得る装置の別の例は、図３に示される。印刷機３１０は、平版印刷業界で周知のような、主物質塗布システム３１２、パターン表面３１４、パターン表面胴３１６、ブランケット胴３１８、及び圧胴３２０を含み得る。パターン表面３１４は、ポリシロキサン又はインキ転写を防止する他のコーティングでコーティングされ得る。さらに、余分、及び／又は、古いゲート剤及び主物質もしくは他の混入物質、の除去のためのクリーニングシステム３２２が含まれる（この場合、パターン表面胴３１６とブランケット胴３１８の双方に示されているが、それ以上あるいはそれ以下のケースも考えられる）。ゲート剤塗布用の上記に記載されたものと同様の水溶液ジェットシステム３２４は、パターン表面胴３１６と関連して示されるが、その配置は可変である。
【００５２】
印刷機３１０の動作は、本明細書に記載された他の実施形態と同様である。例えば、ゲート剤は、水溶液ジェットシステム３２４によって、パターン表面胴３１６のパターン表面３１４に塗布される。続いて、主物質は、塗布システム３１２を介してパターン表面３１４に塗布される。パターン表面３１４がブランケット胴３１８の表面と接触する時に、主物質は、そこに転写されて、さらに基材３２６上に沈着されるまで、その表面上で運ばれる。さらに、装置からは、ブランケット胴３１８を除くことができ、従って主物質は、パターン表面３１４から基材３２６に直接転写されるということも考察される。あるいは、追加の水溶液ジェットシステム３２４、塗布システム３１２、及びクリーニングシステム３２２を含む追加のローラーも、要望通りに加えることもできる。
【００５３】
図４は、一つ以上のインキジェット型ヘッドから噴射されたゲート剤を用いて表面にプリントされた文字“Ａ”４１４を有するパターン表面胴４１２の、例えばアルミ表面等の親水性パターン表面４１０を示す。パターン表面４１０の残りの部分には、物質が付着していないため、他の水性物質を引きつけるか又は付着させることが可能である。図５において、パターン表面（示されていない）は、印刷に備えて、例えば、親油性インキ５１６等の主物質、及び、親水性湿し液（hydrophilic fountain fluid）５１８によって下塗りされている。湿し液５１８は、パターン表面の、ゲート剤によってプリントされていない残り部分へのインキ付着を防止するブロック剤としての機能を果たす。さらに、本明細書において考えられる湿し液は、ゲート剤の可溶化を促進し、これにより、主物質（例えば、インキ）転写後のゲート剤を除去を容易にする。しかし、ゲート剤が、その親油部分を介してインキを引きつけることにより、文字“Ａ”の表面がインキで覆われる。図６は、版胴６１２の下塗りされたパターン表面６１０の断面図を示す。インキ６１６は、ゲート剤６１４に付着しており、そして湿し液６１８は間のスペースを満たし、パターン表面上においてインキと湿し液の連続した表面を作りあげる。下塗りされたパターン表面と、プリント材料（示されていない）又は中間ローラー（intervening roller）、ベルト、又は他の表面とが接触することで、わずかな裂け目でパターン表面と新たな表面間でのインクの転写が可能となる。
【００５４】
特定用途において、高速可変印刷システム及びゲート剤は、主物質の塗布をブロックもしくは補助するために用いられるが、具体的には、イメージ領域内もしくは非イメージ領域内の主物質を除去もしくはブロックするか又はイメージ領域内もしくは非イメージ領域内に主物質を塗布すること、非イメージ領域内の補助剤を除去すること、特定の領域もしくは全領域における主物質の塗布を防止すること、ゲート剤もしくは主物質の塗布に影響を及ぼすようにゲート剤もしくは主物質の物理的特性もしくは化学的特性（例えば、ゲート剤もしくは主物質の粘度もしくは表面張力）を変化させること、上述のあらゆる組み合わせ、又は、あらゆる他の適切な方法によって、主物質の塗布をブロックもしくは補助する。
【００５５】
更に他の実施形態では、基材に塗布される主物質の塗布量が、障壁性を有するバリア剤又はブロック剤の形でゲート剤を用いることにより変化する。この実施形態では、主物質の基材への塗布が、完全に又は部分的にブロックされ、この結果、主物質は、障壁性を有するバリア剤又はブロック剤の及ぶ範囲で、中間レベルで基材に塗布され、この結果、所望の中間レベルでの主物質塗布に従って、基材上における主物質の密度勾配がもたらされる。
【００５６】
さらなる実施形態は、表面への主物質の塗布後又はその前に、表面又は他の基材上の主物質に選択的に加えられるゲート剤を含む。例えば、ゲート剤は、その中で分散し、かつ、特定の実施形態において使用される主物質との反親和性を有する材料を含有する。そして、ゲート剤は、非イメージ領域内の表面に塗布され、ゲート剤内に分散した材料と共に、表面の内側に吸収されるか、又は、表面上で付着もしくは保持される。その表面は、後続の表面（その上に配置された主物質を有する）の近傍を通過する。ゲート剤中に分散される材料が非イメージ領域への主物質の付着を妨げるため、主物質は、ゲート剤を含まない領域においてのみ前者の表面に転写される。
【００５７】
ゲート剤及び印刷媒体の特性を変えること（例えば、ボンド紙、光沢紙を用いたり、様々なコーティング技術を使用したりすること）により、水溶液ジェットシステムを用いてプリントされる保護ネガイメージと、印刷媒体との間に、好ましい相互作用を生じさせることが可能である。例えば、イメージの鮮明さが求められる場合には、印刷媒体に全く吸収されないようなゲート剤を選択するとよい。しかしながら、水溶液ジェットシステムからの水溶液で覆われた部分であっても、ある程度のインキ転写が望ましい場合には、水溶液を急速に吸収する印刷媒体を用いることによって、覆われた部分からもある程度のインキを転写することが可能となる。また、非イメージ領域とイメージ領域との間の境界が保持されるように、ゲート剤の粘度及び／又は表面張力を高めたり、サポート剤（supporting agent）を用いたり、非イメージ領域及びイメージ領域のそれぞれに対するシステムを採用したりすることによって、拡散を抑制することができ、これにより、品質を改善することができる。特に、ゲート剤の粘度を１から１４cPにコントロールすることにより、フラッディング、すなわちイメージをなくしたりエッジ及び線をギザギザにする強制ウェッティング、を防止し、ゴーストの発生を最小限にもする。インキが胴の非イメージ領域に移動する場合、又は、残インキ又はゲート剤が前の印刷から胴上に残る場合、ゴーストが発生する。ゲート剤がジェットヘッドから放出されるように、ゲート剤の粘度は、１４cPより小さい値に維持されることが重要である。この影響を抑制又は解消するためには、他の化学薬品及び／又は材料の科学特性を用いることが可能である。ゲート剤には、加圧又は撹拌によって粘度が変わるチキソトロピー液も含まれる。ゲート剤の表面張力のコントロールによっても、拡散を抑制することもできる。
【００５８】
さらにまた、様々な特性を有するブロックコポリマー界面活性剤を様々な物性のイメージング胴に用いることにより、イメージング胴に親油性表面と親水性表面とを選択的に形成することが可能となる。界面活性剤とイメージング胴の表面との間に生じる物理的結合によってイメージング胴を同じイメージで何度も繰り返し使用することができ、又は、イメージング胴の任意の回転回数ごとにイメージを選択的に変えることもできる。イメージング胴及びブロックコポリマー界面活性剤の物性を利用することにより、耐久性があり、しかも可変で、既知の平版印刷技術の品質を有するイメージシステムを実現することができる。
【００５９】
他の可変処理としては、基材自体の処理がある。紙基材の場合には、適切なサイズ、重量、明るさ（白色度）等を有する、従来のコート紙が用いられる。これには、１つ以上のコーティング剤（例えば、クレー）が塗布され、これにより、主物質及び／又はゲート剤の吸収を遅らすか、又は、抑制する。他の基材（例えば、印刷ブランケット、印刷プレート、印刷胴、回路基板、プラスチックシート、フィルム、布地もしくは他のシート、壁の平面もしくは曲面、又は、他の部材等）の場合には、この基材のうち主物質が塗布される部分の表面が、必要に応じて、又は、要望通りに、適切に事前準備され、物理的もしくは化学的に処理され、機械加工され、テクスチャード加工され、又は、別の方法で修正加工されてもよく、これにより、主物質の一部における転写を、要望通りに補助するか、又は、ブロックする。
【００６０】
インキ又は他の主物質については、所望の効果が得られるように、その種類、物理的特性、及び／又は、化学組成物を選択又は変更することが可能である。例えば、インキの表面張力を管理することにより、色相互のにじみと、紙裏の透き通しとを抑制することができる。また他の例では、ウォーターレス印刷に用いられる１つ以上のインキが、噴射されるゲート剤と共に用いられ（後者は、水溶性又は非水溶性）、これにより、プレートから紙へのインキ転写がブロック又は促進され得る。水溶性ゲート剤と共にウォーターレス印刷用インキを用いる場合には、このインキの親油性を考慮して、ゲート剤の組成が調整される。この結果、ゲート剤は、必要に応じて又は要望通りに、インキを引き付ける分子構造、及び／又は、インキをはじく分子構造を有する。あるいは、噴射されて、親水性のプレートに最初に塗布されるゲート剤には、プレートに結合する１つ以上の親水性組成物と、インキ分子に結合又は反発する１つ以上の他の組成物と、が含まれる。
【００６１】
また、更なる例では、ゲート剤及び主物質の少なくとも一方の相変化を用いて、物質のブロック、又は、転写もしくは回収を抑制するか、又は促進する。例えば、ゲート剤がプレート等の表面に選択的に噴射され、この塗布されたゲート剤を有する表面に主物質が塗布されると、主物質のうち、噴射されたゲート剤と接触する部分は、ゲル又は固体に変化する。あるいは、主物質が、区別なく（換言すれば、非選択的に）プレートに塗布され、この後、プレートのうちイメージ化されない部分（換言すれば、非イメージ領域）にゲート剤が選択的に塗布（噴射）されると、噴射領域内の主物質は、ゲル又は固体に変化する。また更に、２つ（又はそれ以上）の成分で構成されるゲート剤を用いることが可能である。ここで、これらの成分は、個別かつ選択的に、連続して塗布されるものであり（個別に噴射されるものであり）、これらの成分が同じ位置に塗布されると、この位置でエポシキ系及び他の化学結合（例えば、共有結合、イオン結合等）、及び物理的相互作用（例えば、水素結合、ファン・デル・ワールス力等）と、類似又は同一の反応をし、これにより、有益なゲート特性（gating characteristic）が更に向上する。ゲート剤の１つ以上の成分が塗布される前又は後に、主物質（インキ等）が塗布され得る。上述の例のいずれにおいても、基材（紙ウェブ等）は、プレートによりイメージ化される。
【００６２】
図７は、本発明の他の実施形態を示している。図７は、当該技術分野で知られている平版印刷機１０００（例えば、インキシステム１００２、版胴１００６、ブランケット胴１００８、圧胴１０１０など)を示している。但し、平版印刷機１０００の上流側には、コーティングシステム１０１６及び水溶液ジェットシステム１０１４が設けられている。図７に示すような実施形態においては、標準の平版プレートは、任意のジョブの固定情報をエッチングされ、又は、十分なインキの付着が可能である。一実施形態においては、プレートの一部は可変情報のために確保しておく（例えば、図８に示すように、プレート１１００は、可変イメージボックス１１０２や１１０４を含んでいる)。可変イメージボックスに対応する平版プレートの部分は、可変イメージボックスの全体にインキが付着するように形成される（すなわち、平版プレートの可変イメージボックス部分がインキシステムを通過すると、その四角い部分の全体にインキが付着する)。他の実施形態においては、プレート全体にインキが付着可能であり、水溶性ジェットシステムはウェブ１０１２一面にわたってブロック流体を提供できる。
【００６３】
可変イメージを生成するため、可変イメージのネガイメージが水溶液ジェットシステム１０１４によって直接ウェブ１０１２上にゲート剤で塗布される。ウェブ１０１２が水溶液ジェットシステム１０１４に到達するより前に、ウェブ１０１２には、ある実施形態においては、ゲート剤の吸収を防止するためのコーティングが施される。他の実施形態においては、ウェブ１０１２はコーティングされていないため、水溶液ジェットシステム１０１４によって塗布されたゲート剤は、ウェブ１０１２一面にイメージを塗布することができる。このため、ウェブ１０１２の可変イメージがプリントされる部分が、可変イメージのためのインキを転写するブランケット胴１００８の部分に接触すると、ウェブ１０１２には、水溶液ジェットシステム１０１４によってプリントされていない部分のみにインキが選択的に付着することになる。標準的な平版印刷機では、同じイメージ（例えば、四角いベタ塗り（a solid rectangle））を繰り返しプリントする。しかしながら、ウェブ１０１２には、まず水溶液ジェットシステム１０１４によってネガイメージがプリントされ、次にブランケット胴１００８の四角いベタ塗りインキが選択的に付着することで、可変イメージがウェブ１０１２に生成される。コーティングシステム１０１６は、全体にコーティングを施すことが可能である。また、コーティングシステム１０１６は、ウェブ１０１２にコーティングを施してゲート剤の吸収能力を低下させるための好適な代替手段となり得る。例えば、コーティングシステム１０１６は、適切な溶液をウェブ１０１２にスプレーする噴霧器を含む。この溶液によってウェブ１０１２によるゲート剤の全部又は一部の吸収が抑制される。
【００６４】
上述の実施形態のいずれの場合も、ブランケット胴と版胴との組み合わせを、単一のイメージング胴に置き換えることが可能であり、また、その逆も可能である。さらに、実施形態における１つ以上の水溶液ジェットシステム、クリーニングシステム、剥がしシステム、真空又は加熱システムは、データシステムを介して電子制御され得る。
【００６５】
さらにまた、主物質を基材に塗布するローラーのニップ圧及びローラーの圧縮特性を変更することにより、イメージ品質及びニップローラーの圧縮特性を制御することができる。また、テクスチャード加工された表面を有するロール又は胴を用いて、主物質の基材への塗布を要望に応じて制御する。さらにまた、又は加えて、ゲート液体の液滴の容量を調整することにより、各セルへ転写されるインキの量を制御することができ、それによって、グレースケールに影響を及ぼす。
【００６６】
更なる追加事項としては、１つ以上の処理パラメータの温度を調節又は制御することが挙げられる。例えば、表面にゲート剤を塗布する際に、ゲート剤の温度を上昇させることにより、粘着性を改善して、塗布を容易にすることができる。代わりとして、又は、追加として、ゲート剤塗布の間で最初に表面を加熱することにより、粘着性、液滴の形状もしくはサイズ等を制御してもよい。また、ゲート剤塗布後の工程中のある時点で、表面を冷却し、これにより、ゲート剤の粘度を高めて、非ウェット領域へのゲート剤拡散を抑制するようにしてもよい。
【００６７】
個別の噴射装置によって各別に塗布される複数の異なった液体を更に用いることが可能である。これらの液体が一緒に塗布される場合には、この噴射装置は、粘着性、粘度、又は、他の所望の特性の少なくとも１つを向上させたゲート剤を生成する。この液体は、異なるか又は同一の温度、圧力、流量等で塗布され得る。
【００６８】
また別の実施形態には、２つ以上の配列（アレイ）又はインクジェットヘッドを用いて、ゲート剤のみを選択的に塗布すること、又は、表面における１つ以上の領域にゲート溶液を選択的に塗布すること、そして、追加的に、表面における１つ以上の残りの領域にインキを塗布することが含まれる。この場合に、１つ以上の配列は、それぞれ、印刷機の運転中に取り外し可能か、もしくは、切り替え可能であり、又は、次に続くジョブ（例えば、局所的なカスタマイズが要求される場合）のために（位置決めという点で）再構成可能である。
【００６９】
印刷ユニットごとにインキタック（ink tack）が変化するため、ユニットごとにゲート剤特性を連続的に変更させて、各ユニットによるインキ転写を効果的に最適化することができる。さらに別の変更は、印刷表面を確立するために相変化材料の使用を含む。
【００７０】
更に他の実施形態では、主物質の基材への塗布を制御するために用いられるゲート剤は、ブロック剤と補助剤との組み合わせである。一例では、主物質は、表面に配置され、そして、非イメージ領域では、主物質の基材への塗布を阻止するブロック剤によって覆われている。イメージ領域では、主物質は、補助剤によって覆われる。この補助剤は、主物質と結合する傾向があり、これによって、基材上への塗布が補助される。あるいは、ゲート剤が、表面に配置され、かつ、主物質によって覆われてもよい。一例では、親油性のブロック剤が、表面の非イメージ領域に選択的に配置され、そして、親水性の補助剤が、表面のイメージ領域に選択的に配置される。そして、主物質は、両方のゲート剤により形成された層の上面に配置される。表面上に均一な高さで形成された両方のゲート剤の層により、主物質と補助剤との間の移動が妨げられる。表面が基材の近傍に移動すると、ブロック剤は、主物質が基材に塗布されるのを防止する一方、補助剤は、主物質が基材に塗布されるのを可能にする。
【００７１】
別の実施形態では、表面は、平版プレートや版胴等であり、これらの一部を用いて、可変形状の主物質を基材に塗布することによって、主物質の基材への塗布を制御する。この実施形態では、可変記号論、符号化、アドレス指定、番号付け、又は、あらゆる他のタギング技術が、主物質塗布の制御用に確保された最初の表面の一部分で用いられる。主物質は、まず、区別なく最初の表面上に配置される。主物質の塗布のために基材が最初の表面の近傍を通過する前に、ブロック剤が、ある領域内の基材に、選択的に塗布される。この塗布領域は、基材の近傍を後に移動する最初の表面の上記確保部分に対応する領域であり、主物質が所望の形状又はイメージで塗布されるように、ブロック剤が塗布される。より一般的な実施形態では、同様か又は異なる主物質が配置された１つ以上の表面の近傍に、基材が移動し、そこで、ブロック剤及び／又は補助剤が、上記確保部分内の表面から基材に選択的に転写される。ある実施形態では、磁性インキが、これらの表面のうちの１つから基材（例えば紙ウェブ）に転写される。また、１つ以上の非磁性インキが、同じ表面から転写されるか、又は、１つ以上の追加の表面から転写されてもよい。上記確保部分にて所望の形状で紙ウェブに磁性インキを塗布する際に、この塗布をブロックするか、又は、補助するために、ゲート剤を用いることが可能であり、これには、上述のブロック剤及び補助剤を使用するためのいかなる技術も用いることができる。この結果、１刷りごとに変更された磁性インキマーキング（例えば、ＭＩＣＲマーキング、又は、他のコード化された情報）を有する紙ウェブが印刷される。１つの実施形態においては、可変印刷工程の一部としてコード化されたRFID回路が使用される。これは、後の印刷プログラミングを不要にする。
【００７２】
更に別の実施形態では、ゲート剤が、１つ以上のジェットヘッドによって、受容面に選択的に塗布され、そして、中間液（例えば、従来の湿し溶液（fountain solution））を引き付けるか、又は、ブロックする。この湿し溶液は、受容面に区別なく塗布されるが、しかし、ゲート剤によってゲートされる。このため、湿し溶液は、インキの塗布に先立って、受容面に選択的に付着する。この実施形態では、ゲート溶液が、湿し溶液と相互作用するように、そして、湿し溶液を制御可能なように調合されており、この点で、インキを制御するものと対照的になっている。別の実施形態では、湿し溶液を中和もしくは機能低下させるか、又は、湿し溶液を受容面から選択的に除去可能としている。より一般的に言うと、これらの実施形態では、区別なく塗布される湿し溶液及びインキと共に選択的に塗布されるゲート剤を用いることを含み、この場合に、湿し溶液が保持される領域を、ゲート剤によって制御する。
【００７３】
前述したように、ゲート剤は、一つ以上の界面活性剤を含むことが可能であり、また、高品質なイメージを生成するのに好適な液滴サイズ及び粘度特性が得られるように、温度制御又は真空制御が行われる。しかしながら、イメージの品質は、連続したイメージが異なる場合、特に深刻な問題であるゴースト発生として、当業者には知られている現象が生じる。
【００７４】
連続する印刷間で、イメージ及び非イメージ領域のインキ又はあらゆるゲート剤をしっかりと除去することによって、ゴースト発生を少なくすることができる。前述したクリーニングシステムのいずれについても、上記したようにインキを塗布した後には常に、版胴を清浄することは、版胴をクリーンに保つ１つの方法である。また、クリーニングシステムによる一層完全な清浄を促進してゴースト発生を減らすために、ゲート剤の組成を変更することができる。
【００７５】
ゴーストの発生を少なくする他の方法として、版胴上の、イメージ領域から非イメージ領域へのインキの移動を抑制する方法がある。イメージ領域にインキを引きつけて、親油性溶液が正確にイメージ領域に塗布され、そして、イメージ領域からのインキの移動が抑制される。疎油性溶液は、版胴の非イメージ領域に、単独で又は親油性溶液と共に、正確に塗布され、版胴の非イメージ領域へのインキの移動が抑制される。
【００７６】
本開示のように、可変印刷のジョブ処理と固定印刷のジョブ処理とを行うというコンセプトを用いる場合には、その利点の１つとして、従来の平版印刷機に関連する固有速度を挙げることができる。しかし、実際には、従来の平版印刷機と比較すると、印刷速度は、イメージ領域が形成可能な速度によって制限されており、つまり、イメージ領域を形成する方法によって左右されている。この種の方法は、本明細書で説明されており、また、イメージ領域の形成のためのゲート剤塗布を含んでいる。ゲート剤は、親油性溶液もしくは親水性溶液、又は、静電気電荷が印加された他の溶液であり得る。また、ゲート剤自体が、胴の一部に印加される静電気電荷であってもよい。印刷機の運転速度は、上述のあらゆるゲート剤が、印刷機の１つ以上の胴に塗布可能な最高速度によって、制限される。
【００７７】
インクジェットカートリッジが、通常のインクジェット印刷において、最も使用される運転状態に対応するように、カートリッジからの液滴噴射は、瞬間的な事象であると考えられ、この瞬間的な事象によって、対象基材上に所定サイズのインキスポットが形成される。しかし、実際には、インクジェットカートリッジからの液滴噴射は、瞬間的な事象ではなく、現実には、初期、中期、及び終期を有する過渡的な事象である。対象基材が、高速で移動している場合には、インキ液滴が基材に衝突し、そして、基材の移動方向とは反対方向に延びる尾部（テール）を有するインキスポットが形成される。この現象は、テーリング（tailing）として知られており、液滴形成における過渡的性質によって生じる直接的な結果である。高速印刷時に発生するテーリングにより、印刷品質に懸念が生じるので、印刷機の実効速度が制限され得る。しかし、あるゲート剤が、特定のジェットカートリッジと共に用いられる場合には、噴射液滴のテーリングを抑制又は緩和することが可能であり、これにより、最高印刷速度を制限するファクターであるこの現象が解消されることが見出されている。
【００７８】
本開示の装置及び方法は、他の産業及び他の技術（例えば、繊維、製薬、生物医学、及び、特に電子工学）にも関連する。可変でカスタマイズ可能なグラフィックもしくはテキスト、又は、シール性が強化された主物質や耐水性もしくは耐火性を有する主物質は、繊維ウェブに選択的に塗布されて、例えば、衣類又は敷物の製造に用いられる。製薬業界では、主物質は、製剤原料、治療用物質、診断用物質、もしくはインキ以外のマーキング用物質であり得、又は、他のあらゆる種類の物質用のキャリアであり得る。生物医学用途では、例えば、主物質は、生物由来材料又は生体適合性ポリマーである。電子工学用途では、主物質は、基材の１つ以上の層に塗布される導電性材料又は電気絶縁性材料であり得る。他の電子工学用途には、製品に取り付けられる無線自動識別（「ＲＦＩＤ」）タグの製造が含まれる。主物質の基材への選択的塗布は、他の産業にとっても有益となり得る。例えば、主物質は、製品（例えば、熱交換器、料理用鍋、又は、断熱性の高いコーヒー用マグカップ）の構成部品に選択的に塗布される熱伝導性材料又は断熱性材料である。また、主物質は、吸収性、反射性、又は放射性が強化された材料であってもよく、これらの性質の一部又は全部が他の製品にとって有用となり得る。これは、例えば、主物質を、オーブン、ランプ、又はサングラスの構成部品に選択的に塗布する場合である。また更に、主物質は、カスタマイズ可能な包装フィルム又はホログラムに使用可能である（イメージ生成の前に屈曲くぼみの選択的充填を経る）。更に、この技術は、燃料電池の製造に適用可能であり、この場合に、主物質は、官能性ポリマー、接着剤、及び、三次元（３−Ｄ）相互接続構造を含み得る。マイクロ光学素子の製造用途では、主物質は、光学接着剤又は紫外線硬化性ポリマー（UV-curing polymer）であり得る。更なる用途としては、ディスプレー製造があり、この場合に、主物質は、ポリマー発光ダイオード用材料である。
【００７９】
さらに、特定の用途としては、本開示の装置及び高速可変印刷方法が、数多くの平版印刷の用途で利用され得る。例えば、本開示の装置及び方法は、ダイレクトメール、広告、明細書、請求書等の高品質な一対一マーケティングの用途に理想的である。本開示の装置及び方法に適した他の用途としては、パーソナライズされた書籍、定期刊行物、出版物、ポスター、ディスプレイ等の印刷が挙げられる。本開示における高速可変印刷システム及び高速可変印刷方法は、上述の製品のポストプレス処理（例えば、製本や仕上げ）も迅速化することができる。
【００８０】
さらに、次の例は開示を示すが、もちろん、何らかの範囲の限定として解釈されるべきではない。
【００８１】
例１．本開示において有用なゲート剤配合は次のように調合された。
8wt%  Sokalan(登録商標)マレイン酸／オレフィン  コポリマー（95%活性）
1wt%  SILWET(商標)7200シロキサンブロックコポリマー
91wt%  水
【００８２】
例２．本開示において有用な第２のゲート剤配合は次のように調合された。
30wt%  PEG200
1wt%  Sufynol(登録商標)400シリーズ
1wt%  Pluronic(登録商標)
68wt%  水
【００８３】
例３．本開示において有用な第３のゲート剤配合は次のように調合された。
15wt%  Joncry(登録商標)50
10wt%  イソプロピルアルコール
1wt%   SILWET(商標)7200シロキサンブロックコポリマー
30wt%  PEG200
44wt%  水
【００８４】
例１−３の配合の全ては、ゲート剤として有用であり、ゴースト発生、テーリング(tailing)、フラッディング、又は背景色を最小限に抑えた可変プリントがもたらされた。
【００８５】
以上は、本開示の装置及び方法の原理を例示するためのものに過ぎず、当業者によって本開示の装置及び方法の範囲及び理念から逸脱することなく様々な改変が可能であることは明らかであろう。例えば、記載された手順におけるいくつかのステップの順序は、決定的なものではなく、必要に応じて変更が可能である。また、様々なステップは、様々な技術によって実行され得る。
【００８６】
本開示の好ましい実施形態は、本明細書に記載され、本開示を実用化する発明者に知られている最良の形態を含んでいる。当業者にとって、これらの好ましい実施形態のバリエーションは、本明細書を読めば明らかなものとなる。発明者は、熟練工が適切なバリエーションを採用すると考え、そして、発明者は、本開示が本願明細書に特に記載されたものとは別の方法で実践され得ることを意図する。従って、本開示は、適用される法によって許される限り、本願明細書に添付する請求項に詳述される全ての変更及び均等物を含む。さらに、本開示は、本明細書に特に示されておらず、又は文脈が明らかに矛盾しなければ、上述の構成要素のその全ての可能なバリエーションにおける任意の組み合わせを含む。
【図１】
2010536615.tif 000003
【図２】
2010536615.tif 000004
【図３】
2010536615.tif 000005
【図４】
2010536615.tif 000006
【図５】
2010536615.tif 000007
【図６】
2010536615.tif 000008
【図７】
2010536615.tif 000009
【図８】
2010536615.tif 000010
【国際調査報告】
2010536615.tif 000011
2010536615.tif 000012
2010536615.tif 000013